(57)【要約】【課題】  コンクリートとの接合部分に剥離が発生して、この剥離部分から水が浸入したとしても、その水を排水パイプに戻すことが可能な排水桝を提供すること。【解決手段】  コンクリートの基礎部分に埋設されるものであって、排水が流入する上部開口と、排水パイプに接続される下側開口と、本体部とを備えており、この本体部の外壁には、外周全体に沿って樋部が設けられていると共に、外壁の一部には、樋部に連通する流入口が開放されていることを特徴とする排水桝によって達成される。このとき、樋部は所定の方向に傾斜する傾斜面が設けられており、流入口は、この傾斜面の最下部に設けられていることが好ましい。【選択図】          図１
2015105486.tif 000002
【特許請求の範囲】
【請求項１】
コンクリートの基礎部分に埋設される排水桝であって、排水が流入する上部開口と、排水パイプに接続される下側開口と、本体部とを備えており、前記本体部の外壁には、外周全体に沿って樋部が設けられていると共に、前記外壁の一部には、前記樋部に連通する流入口が開放されていることを特徴とする排水桝。
【請求項２】
前記樋部は所定の方向に傾斜する傾斜面が設けられており、前記流入口は、この傾斜面の最下部に設けられていることを特徴とする請求項１に記載の排水桝。
【請求項３】
請求項１または２のいずれかに記載の排水桝の埋設工事方法であって、前記樋部の内側に、前記コンクリートが前記流入口の前面を閉止することを規制すると共に前記排水桝の外壁を伝わった水が前記樋部を通過して前記流入口に導かれるための流水用空間を確保する空間確保材を設置した状態で、前記排水桝をコンクリートによって埋設することを特徴とする排水桝の埋設工事方法。
【発明の詳細な説明】
【技術分野】
【０００１】
本発明は排水桝、特に道路のアスファルト下面側のコンクリート部分に埋設される排水桝に関する。
【背景技術】
【０００２】
道路（特に、高速道路）のアスファルト下面側には、コンクリートの基礎部分に雨水を集めて下方に流す排水桝が埋設されている。排水桝の下方には排水パイプが連結されており、高架の場合には、橋梁の外部に排水パイプが設置されている。
従来、排水桝として、鋳鉄製や鋼製のものが多く採用されていた。ところが近年になって、耐食性に優れ、取り扱いの容易さからＦＲＰ製のものが使われるようになってきている（特許文献１）。ところが、経年の使用に伴った、ＦＲＰとコンクリートとの接触部分に雨水が浸入することがあった。すなわち、樹脂はコンクリートよりも伸縮の度合いが大きいために、夏場及び冬場の温度変化の激しいときに、コンクリートの基礎部分との間に僅かに剥離が発生し、この剥離部分から雨水が浸入してしまっていた。ここから浸入した雨水は、排水パイプの外表面を伝わって下方に流れるために、排水パイプの外観を損ねてしまうことになっていた。
【先行技術文献】
【特許文献】
【０００３】
【特許文献１】特開平１１−１７２６２５号公報
【特許文献２】特開平６−３３６７０３号公報
【特許文献３】特開平８−８１９９３号公報
【発明の概要】
【発明が解決しようとする課題】
【０００４】
本発明は、上記した事情に鑑みてなされたものであり、その目的は、コンクリートとの接合部分に剥離が発生して、この剥離部分から水が浸入したとしても、その水を再び排水桝に戻すことが可能なものを提供することである。
【課題を解決するための手段】
【０００５】
上記目的を達成するための発明に係る排水桝は、コンクリートの基礎部分に埋設されるものであって、排水が流入する上部開口と、排水パイプに接続される下側開口と、本体部とを備えており、前記本体部の外壁には、外周全体に沿って樋部が設けられていると共に、前記外壁の一部には、前記樋部に連通する流入口が開放されていることを特徴とする。
上記構成によれば、コンクリートとの接合部分に剥離が発生して、この剥離部分から水が浸入した場合であっても、排水桝の外壁を伝わった水は、樋部を流れて流入口から排水桝の内部に戻されて、排水パイプから外部に放出される。
上記発明において、前記樋部は所定の方向に傾斜する傾斜面が設けられており、前記流入口は、この傾斜面の最下部に設けられていることが好ましい。
上記構成によれば、排水桝の外壁を伝わった水を樋部に溜めることなく、排水桝の内部に戻しやすい。
【０００６】
また、別の発明は、前記排水桝の埋設工事方法であって、前記樋部の内側に、前記コンクリートが前記流入口の前面を閉止することを規制すると共に前記排水桝の外壁を伝わった水が前記樋部を通過して前記流入口に導かれるための流水用空間を確保する空間確保材を設置した状態で、前記排水桝をコンクリートによって埋設することを特徴とする。
上記構成によれば、排水桝がコンクリートの基礎部分に埋設された後にも樋部と流入口に所定の空間が確保されるので、外方からの水を排水桝の内部に円滑に流せる。
本発明の排水桝を構成する本体部の材質としては、特に限定されないが、金属製（鉄、ステンレス、アルミ、銅など）、樹脂製（ＦＲＰなど）のものが例示される。このうち、特にＦＲＰ製の場合には、コンクリートの接合部分に剥離が発生し易いために、本発明の効果が顕著となるので好ましい。
空間確保材としては、特に限定されないが、繊維（天然繊維または合成繊維）を用いて製造された不織布、パイプの外周に複数の孔を設けたもの（特許文献２）、耐熱性の合成繊維で所要数のたて糸に複数本のよこ糸を編み込んで網状管としたもの（特許文献３。クラドレン（クラレ・プラスチックス株式会社））、スプリングなどを用いることができる。
【発明の効果】
【０００７】
本発明によれば、コンクリートとの接合部分に剥離が発生して、この剥離部分から水が浸入したとしても、その水を再び排水桝に戻すことが可能となる。
【図面の簡単な説明】
【０００８】
【図１】本実施形態における排水桝の側面図である。
【図２】排水桝の正面図である。
【図３】排水桝の平面図である。
【図４】上部枠体の平面図（Ａ）、側面図（Ｂ）及び正面図（Ｃ）である。
【図５】グレーチングの平面図（Ａ）及び正面図（Ｂ）である。
【図６】グレーチングの側面図（Ａ）及び側断面図（Ｂ）である。
【図７】排水桝の側断面図である。
【図８】排水桝の正断面図である。
【図９】排水桝を埋設工事する際に樋部の内側に空間確保材を収容する様子を示す斜視図である。（Ａ）樋部の上方に空間確保材を位置させた様子、及び（Ｂ）樋部の内側に空間確保材を収容した様子をそれぞれ示す。
【発明を実施するための形態】
【０００９】
次に、本発明の実施形態について、図表を参照しつつ説明するが、本発明の技術的範囲は、これらの実施形態によって限定されるものではなく、発明の要旨を変更することなく様々な形態で実施することができる。
図１には、排水桝１の側面図を示した。この排水桝１は、図示しない道路（例えば、高速道路、橋梁に設けられる道路、一般の国道・県道など）において、コンクリートの基礎部分に埋設されるものである。排水桝１には、樹脂製（例えば、ＦＲＰ製）の本体部４と、本体部４の上側に取り付けられる上部枠体１１と、この上部枠体１１の内側に嵌め込まれるグレーチング１２とが設けられている。排水桝１の上方には、排水が流入する上部開口２と、排水パイプＰに連結される下側開口３とが設けられている。本体部４の上側は、ほぼ長方形状の角型部４Ａとされている一方、下側は円筒状のパイプ連結部４Ｃとされており、その中間部分は、傾斜面を備えて角型部４Ａからパイプ連結部４Ｃに縮径する傾斜部４Ｂとされている。角型部４Ａの内側には、上部枠体１１を固定するためのボルト孔１６が設けられており、ここにボルト１７が回し付けられる。
【００１０】
本体部４において、角型部４Ａの外壁５には、外周全体に沿って樋部６が設けられている。樋部６は、その断面が四角形状とされ、上方に向かって開放しており、外壁５（より詳細には、本体部４の上端から角型部４Ａの外壁５）を伝わった水が流れ込むようになっている。樋部６は、角型部４Ａの各辺において、中央部分に向かって下方に傾斜する傾斜面８が設けられており、樋部６を流れる水が各辺の中央に向かうようになっている。また、傾斜面８が最も低くなる最下部には、外壁５の一部が切りかかれて、樋部６まで連通する長孔状の流入口７が設けられている。
また、外壁５の側方には、排水桝１を所定の位置に固定するためのボルト装着孔１５が設けられている。
図４には、上部枠体１１の構造を示した。この上部枠体１１は、本体部４の角型部４Ａ内側の所定位置に嵌め込まれて固定される。上部枠体１１には、後述のグレーチング１２を位置決め固定するための位置決め棚部１３が設けられている。位置決め棚部１３には、グレーチング１２を固定するためのボルト孔１３Ａが設けられている。また、本体部４と上部枠体１１との間には、脱落規制のためのチェーン１４が設けられる（図７を併せて参照）。
【００１１】
図５及び図６には、グレーチング１２の構造を示した。グレーチング１２は、上部枠体１１の位置決め棚部１３に載置された後、四隅に設けられたボルト孔１２Ａを貫通するボルト（図示せず）によって固定される。
次に、上記のように構成された本実施形態の作用及び効果について説明する。
排水桝１がコンクリートの内部に埋設された後には、外壁５とコンクリートとの接合部分に剥離が発生して、この剥離部分に生じた溝から水が浸入した場合であっても、排水桝１の上端から外壁５を伝わった水は、樋部６を流れて流入口７から排水桝１の内部に戻されて排水パイプＰから外部に放出される。このため、排水パイプＰの外面を水が流れるという事態が回避される。
このとき、樋部６には傾斜面８が設けられており、この傾斜面８の最下部に流入口７が設けられているので、外壁５を伝わった水が樋部６に溜めることなく、円滑に排水桝１の内部に戻るようになっている。
【００１２】
次に、上記構成の排水桝１をコンクリートの基礎部分に埋設する際の工事方法について説明する。
図９に示すように、排水桝１をコンクリートによって埋設する前に、樋部６の内側に空間確保材１０を設置しておく。空間確保材１０は、繊維から製造された不織布（例えば、サムマットＹＭ−３０（ドレイン工業株式会社製））から構成されており、ほぼ樋部６の内側空間と同じ断面形状を備えている。空間確保材１０の長さは、外壁５の全周長さとほぼ同等とされており、ちょうど樋部６全周に沿って挿入される。空間確保材１０は、コンクリートが流入口７の前面を閉止することを規制すると共に、排水桝１の外壁５を伝わった水が樋部６を通過して流入口７に導かれるための流水用空間を確保するために使用される。
図９（Ｂ）に示すように、空間確保材１０を樋部６の内側に設置した状態で、排水桝１をコンクリートによって埋設する。
この工事方法によれば、排水桝１がコンクリートの基礎部分に埋設された後にも樋部６と流入口７とに所定の空間が確保されるので、排水溝１の外壁５を伝わった水が樋部６と流入口７とを通過して、排水桝１の内部に流れ込む。
なお、上記実施形態においては、空間確保材１０を樋部６の全周に配置した状態で、排水桝１をコンクリートによって埋設したが、本発明によれば、空間確保材は、流入口７の前面にのみ配置して、コンクリートが流入口７の前面を閉止することを規制すれば済む。このようにすれば、空間確保材の使用量が少なくて済むと共に、空間確保材の設置作業が容易となる。
このように本実施形態によれば、コンクリートとの接合部分に剥離が発生して、この剥離部分から水が浸入したとしても、その水を再び排水桝１の内部に戻し、排水パイプＰに戻すことが可能となった。
【符号の説明】
【００１３】
１…排水桝
２…上部開口
３…下側開口
４…本体部
５…外壁
６…樋部
７…流入口
８…傾斜面
９…流水用空間
１０…空間確保材
【図１】
2015105486.tif 000003
【図２】
2015105486.tif 000004
【図３】
2015105486.tif 000005
【図４】
2015105486.tif 000006
【図５】
2015105486.tif 000007
【図６】
2015105486.tif 000008
【図７】
2015105486.tif 000009
【図８】
2015105486.tif 000010
【図９】
2015105486.tif 000011